(57)【要約】【課題】非接触ＩＣカードのＩＤデータの書き換えにおいて、煩雑な操作によらず簡単に操作できることにより、利便性を向上する。【解決手段】非接触ＩＣカード部１０８が配置されている携帯電話１００において、傾き−ＩＤ変換部１１０は複数のＩＤデータを記憶しており、傾き検出部１１１が携帯電話１００の傾きを検出し、傾き−ＩＤ変換部１１０が、記憶している複数のＩＤデータの中から、傾き検出部１１１により検出された携帯電話１００の傾きに対応するＩＤデータを選択し、ＩＣカード書換え部１０９が傾き−ＩＤ変換部１１０により選択されたＩＤデータを非接触ＩＣカード部１０８に書き込み、非接触ＩＣカード部１０８が書き込まれたＩＤデータを外部のカードリーダ等に対して出力する。【選択図】図１
2007323562.tif 000002
【特許請求の範囲】
【請求項１】
データ記憶装置が配置されているパッケージに配置され、前記データ記憶装置を管理するデータ管理装置であって、
前記パッケージの傾きを検出する傾き検出部と、
二以上のデータを記憶し、前記傾き検出部により検出された前記パッケージの傾きに応じて、前記二以上のデータの中から特定のデータを選択するデータ選択部と、
前記データ選択部により選択されたデータを前記データ記憶装置に書き込むデータ書き込み部とを有することを特徴とするデータ管理装置。
【請求項２】
前記データ選択部は、
データと前記パッケージの傾きとの対応関係を示す対応情報を記憶し、前記対応情報を用いて、前記傾き検出部により検出された前記パッケージの傾きに対応するデータを選択することを特徴とする請求項１に記載のデータ管理装置。
【請求項３】
前記データ書き込み部は、
前記データ記憶装置に記憶されているデータを前記データ選択部により選択されたデータに書き換えることを特徴とする請求項１に記載のデータ管理装置。
【請求項４】
前記データ管理装置は、
認証のための認証データを記憶する非接触ＩＣカードが配置されているパッケージに配置され、
前記データ選択部は、
二以上の認証データを記憶し、前記傾き検出部により検出された前記パッケージの傾きに基づき、前記二以上の認証データの中から特定の認証データを選択し、
前記データ書き込み部は、
前記データ選択部により選択された認証データを前記非接触ＩＣカードに書き込むことを特徴とする請求項１に記載のデータ管理装置。
【請求項５】
前記傾き検出部は、
定期的に前記パッケージの傾きを検出することを特徴とする請求項１に記載のデータ管理装置。
【請求項６】
前記傾き検出部は、
前記パッケージの傾きの検出を指示する指示メッセージを入力した際に、前記パッケージの傾きを検出することを特徴とする請求項１に記載のデータ管理装置。
【請求項７】
前記データ管理装置は、
認証のための認証データを記憶する非接触ＩＣカードが配置されているパッケージに配置され、
前記傾き検出部は、
前記非接触ＩＣカードがＩＣカードリーダから認証データ読み出し要求を受けた際に、前記パッケージの傾きを検出することを特徴とする請求項１に記載のデータ管理装置。
【請求項８】
前記データ管理装置は、
データ記憶装置が配置されている携帯電話機に配置され、
前記傾き検出部は、
前記携帯電話機の傾きを検出することを特徴とする請求項１に記載のデータ管理装置。
【請求項９】
パッケージに配置されているデータ記憶装置を管理するデータ管理方法であって、
前記パッケージの傾きを検出する傾き検出ステップと、
前記傾き検出ステップにより検出された前記パッケージの傾きに応じて、二以上のデータの中から特定のデータを選択するデータ選択ステップと、
前記データ選択ステップにより選択されたデータを前記データ記憶装置に書き込むデータ書き込みステップとを有することを特徴とするデータ管理方法。
【発明の詳細な説明】
【技術分野】
【０００１】
本発明は、データ記憶装置に対するデータ管理技術に関し、例えば、非接触ＩＣカードのデータ書き換え技術に関する。
【背景技術】
【０００２】
非接触ＩＣカードによりＩＤデータをシステムに通知、認証を受けシステムの利用許可を受けるシステムがある。
特開２００３−２７６９５８号公報に開示された技術によれば、エレベーターを備えたマンションの防犯性と利便性を向上する目的で、利用者は非接触キーにより玄関のオートロックの開錠及びエレベーターを呼び寄せることができる。玄関及び玄関階のエレベーター乗り場には、非接触キーリーダが設置され、玄関のキーリーダで非接触キーに記録したＩＤと居住階を読み取り、ＩＤを認証し、玄関のオートロックを開錠し、エレベーターを玄関階に呼び寄せるとともに、居住階への呼びを登録した状態で待機させる。
または玄関のキーリーダで非接触キーに記録したＩＤを読み取り、ＩＤを認証し、玄関のオートロックを開錠し、エレベーター乗り場のキーリーダで非接触キーに記録したＩＤと居住階を読み取り、ＩＤを認証し、エレベーターを玄関階に呼び寄せるとともに、居住階への呼びを登録した状態で待機させる。
【０００３】
この技術によりエレベーターの利用者は、非接触キーによりオートロックの開錠操作を行うだけでエレベーターの操作が不要で、居住階までエレベーターを利用することによる利便性と、エレベーターのかご呼びを自動登録することで利用者を制限して行き先階をあらかじめ定めた居住階のみとすることでセキュリティ性の高いエレベーター装置を得るという利点があった。
【特許文献１】特開２００３−２７６９５８号公報
【発明の開示】
【発明が解決しようとする課題】
【０００４】
しかしながら、この技術によれば、例えば許可を受けて居住者が他の階の住人を訪問する場合にも、非接触キーに登録された居住階のみに行き先階が限定されるため、非接触キーによる呼び登録が使用できず、かごに乗車後正しい行き先階への呼びの登録と居住階への呼びの解除を操作盤によって行う必要があるなど、不便な点が生じていた。
【０００５】
また異なるＩＤデータを記録した非接触ＩＣカードを複数枚もつことで、利用者は目的階に応じて対応するＩＤデータを記録した非接触ＩＣカードを選択、使用することで、他の階の住人を訪問することができる。
しかしながらこのような方法によっても、訪問する可能性のある階の分だけカードを持つ必要があり携行するカードが増えること、逐次カードを識別して選択的に利用しなければならないため、利便性が低下するといった欠点があった。
【０００６】
このように非接触ＩＣカードなどによってシステムの利用認証を受ける場合に、利用者が複数のＩＤデータから使用したいＩＤデータを選択する場合において、従来では、逐次カードを識別して選択的に利用しなければならず、利用者にとって手続が煩雑であった。
【０００７】
この発明は、上記のような課題を解決することを主な目的としており、非接触ＩＣカードによるＩＤデータの認証手順において、煩雑な操作によらず複数のＩＤデータの中から所望のＩＤデータを選択し、簡単な操作による認証処理を実現することにより、利用者の利便性を向上することを主な目的の一つとする。
また非接触ＩＣカードのＩＤデータの選択時の利便性を向上するとともに、エレベーターの利用において異なるＩＤデータを容易に選択可能としてエレベーターシステムに異なるＩＤデータを通知して、セキュリティ性を損なわず非接触ＩＣカードによる複数の異なる階床へ呼びを登録するための操作を簡略化することを主な目的の一つとする。
【課題を解決するための手段】
【０００８】
本発明に係るデータ管理装置は、
データ記憶装置が配置されているパッケージに配置され、前記データ記憶装置を管理するデータ管理装置であって、
前記パッケージの傾きを検出する傾き検出部と、
二以上のデータを記憶し、前記傾き検出部により検出された前記パッケージの傾きに応じて、前記二以上のデータの中から特定のデータを選択するデータ選択部と、
前記データ選択部により選択されたデータを前記データ記憶装置に書き込むデータ書き込み部とを有することを特徴とする。
【発明の効果】
【０００９】
本発明によれば、パッケージの傾きを検出するとともに傾きに対応するデータをデータ記憶装置に書き込むため、例えば、ＩＤデータによる認証処理の際に、利用者は目的とするデータに対応する角度にパッケージを傾けるだけで目的とするデータをデータ記憶装置に書き込むことができ、この結果、目的のデータを認証装置に読み込ませることができる。このため、本発明によれば、認証手順において、煩雑な操作によらず複数のデータの中から所望のデータを選択し、簡単な操作による認証処理を実現することにより、利用者の利便性を向上させることができる。
【発明を実施するための最良の形態】
【００１０】
実施の形態１．
図１は本実施の形態に係る携帯電話１００の構成例を示す図である。
携帯電話１００はキー入力部１０１、表示部１０２、音声入出力部１０３、電源制御部１０４、電話制御部１０５、無線通信部１０６、データ記憶部１０７、非接触ＩＣカード部１０８（データ記憶装置）、ＩＣカード書換え部１０９（データ書き込み部）、傾き−ＩＤ変換部１１０（データ選択部）、傾き検出部１１１からなる。
本実施の形態では、ＩＣカード書換え部１０９（データ書き込み部）、傾き−ＩＤ変換部１１０（データ選択部）、傾き検出部１１１がデータ管理装置を構成する。
なお、携帯電話１００は、データ記憶装置たる非接触ＩＣカード部、データ書き込み部たるＩＣカード書換え部１０９、データ選択部たる傾き−ＩＤ変換部１１０、傾き検出部１１１が配置されるパッケージの例であり、後述のように、携帯電話１００以外にノートパソコン、電子手帳、クレジットカード等をパッケージとし、これらノートパソコン、電子手帳、クレジットカード等に非接触ＩＣカード部１０８（データ記憶装置）、ＩＣカード書換え部１０９（データ書き込み部）、傾き−ＩＤ変換部１１０（データ選択部）、傾き検出部１１１を配置するようにしてもよい。
つまり、本明細書においては、パッケージとは、非接触ＩＣカード部１０８、ＩＣカード書換え部１０９、傾き−ＩＤ変換部１１０、傾き検出部１１１を収容できる物体であれば、どのようなものでもよい。
【００１１】
キー入力部１０１は、利用者が電話をかける相手先電話番号そのものや、電話帳から相手先を選択するための入力を受け付ける。
表示部１０２は、入力や着信など携帯電話１００の状態を、液晶などの画面に文字、絵、アイコンを表示することよりユーザに通知する。
音声入出力部１０３は、電話回線による通話のための音声の入力や出力、あるいは音声ガイダンスの出力、音声による操作のための入力など、音声を入力あるいは出力する。
電源制御部１０４は、表示部１０２の電源オフなどの低消費電力モードへの移行、通常モードへの復帰、残電力量の測定などを行う。
電話制御部１０５は、携帯電話同士の通話のための電話回線の接続、維持、切断を行う。
無線通信部１０６は、携帯電話同士の通話のための無線基地局との通信確立、維持、切断、また音声の変換、無線を介した送受信を行う。
データ記憶部１０７は、電話帳や着信・発信履歴などのユーザデータ、文字、絵、アイコンなどの機器データを記憶する。
非接触ＩＣカード部１０８は、非接触ＩＣカードを携帯電話などの機器に搭載したもので、非接触ＩＣカード内に記憶したデータは、外部の非接触ＩＣカードリーダライタや、これを搭載した携帯電話本体から読み書きされる。
ＩＣカード書換え部１０９は、非接触ＩＣカード部１０８に記憶したデータを、携帯電話１００の傾きに応じて書き換える。
傾き−ＩＤ変換部１１０は、ＩＣカード書換え部１０９がデータを書き換える際に、角度を書き換えるデータに変換するためのテーブル（対応情報）を持ち、検出された傾きに対応するＩＤデータを当該テーブルを参照することにより選択する。
傾き検出部１１１は、携帯電話１００の傾きを検出する。
【００１２】
本実施の形態では、携帯電話１００において、傾き−ＩＤ変換部１１０は複数のＩＤデータを記憶しており、傾き検出部１１１が携帯電話１００の傾きを検出し、傾き−ＩＤ変換部１１０が、記憶している複数のＩＤデータの中から、傾き検出部１１１により検出された携帯電話１００の傾きに対応するＩＤデータを選択し、ＩＣカード書換え部１０９が傾き−ＩＤ変換部１１０により選択されたＩＤデータを非接触ＩＣカード部１０８に書き込み、非接触ＩＣカード部１０８が書き込まれたＩＤデータを外部のカードリーダ等に対して出力する。
【００１３】
図２は非接触ＩＣカード部１０８の構成例を示す図である。
非接触ＩＣカード部１０８はホストインタフェース２０１、無線通信部２０２、カード記憶部２０３からなる。
ホストインタフェース２０１は、非接触ＩＣカードを搭載するホスト、すなわち本実施の形態では携帯電話１００と非接触ＩＣカード部１０８内のカード記憶部２０３に格納したデータを読み書きするためのインタフェースである。
無線通信部２０２は、非接触ＩＣカード通信によって外部の非接触ＩＣカードリーダライタからカード記憶部２０３に格納したデータを読み書きするための無線インタフェースである。
カード記憶部２０３は、ホストや非接触ＩＣカードリーダライタから読み書きするデータを格納するメモリである。
【００１４】
非接触ＩＣカードの無線インタフェースは、通信距離によって数ｍ程度の遠隔型、数１０ｃｍ程度の近傍型（ＩＳＯ１５６９５など）、数ｃｍの近接型（ＩＳＯ１４４４３など）、数ｍｍ程度の密着型（ＩＳＯ１０５３６など）などがあるが、本実施の形態においては、非接触ＩＣカードを非接触ＩＣカードリーダライタに近づけ始めてから認識可能となる距離が異なるいずれの規格、仕様の非接触ＩＣカードでも利用することができる。
【００１５】
図３は傾き検出部１１１の構成例を示す図である。
傾き検出部１１１は、ホストインタフェース３０１、加速度センサ部３０２、加速度−傾き変換部３０３からなる。
ホストインタフェース３０１は、傾き検出部１１１が検出する傾きデータを記憶、ホストからの読み出しにデータを提供するインタフェースである。
加速度センサ部３０２は、加速度の大きさを電気的に検出して出力するセンサである。加速度検出の仕組みは、例えば加速度によって生じるセンサ内部の質量の動きによりピエゾ抵抗素子で構築したはりをひずませ、抵抗値として得るようなものがある。加速度センサ部３０２は検出する加速度の方向毎に加速度を示す出力を持ち、この出力は正負の加速度値を抵抗値や電圧、パルスのデューティー比などで出力する。
加速度−傾き変換部３０３は、加速度センサ部３０２で検出した加速度を傾きに変換するものである。地球の重力は１Ｇであるが、加速度センサ部３０２の傾きに応じて、加速度センサ部３０２が検出する加速度方向の成分は規則的に変化する。加速度−傾き変換部３０３は、この規則から加速度を傾きデータに変換する。
【００１６】
図４はエレベーターシステム４００の構成例を示す図である。
エレベーターシステム４００は、エレベーター制御部４０１、カード呼び登録機ａ４０２、カード呼び登録機ｂ４０３、カード呼び登録機ｃ４０４、ＩＤ変換部４０５からなる。
【００１７】
エレベーター制御部４０１は、カード呼び登録機ａ４０２〜カード呼び登録機ｃ４０４からの呼び登録要求に対して、エレベーターのかご移動、扉開閉、インジケーター点消灯を行う。呼び登録とは、エレベーター乗り場での利用者によるかごの乗り口への移動指示や、かご内での利用者の目的階へのかごの移動指示を、エレベーター制御部４０１に対して行うことを示す。エレベーター制御部４０１は、これらのかごの移動指示に対して、実際にかごをどの階へ移動するかを決定し、かごの移動を行う。
カード呼び登録機ａ４０２〜カード呼び登録機ｃ４０４は、エレベーターの各階の乗り場のエレベーター扉付近に設置する。本実施の形態では、玄関階が１階にある３階床のビルで、カード呼び登録機ａ４０２を１階に、カード呼び登録機ｂ４０３を２階に、カード呼び登録機ｃ４０４を３階の乗り場にそれぞれ設置する。カード呼び登録機ａ４０２〜カード呼び登録機ｃ４０４は、携帯電話１００の非接触ＩＣカード部１０８に記録されたＩＤデータを読み取り、ＩＤデータが正当であった場合に、設置された階へのかごの呼びをエレベーター制御部４０１に登録するとともに、ＩＤ変換部４０５にＩＤデータに対応して格納された登録階番号などのデータから目的階などを決定し、利用者が乗車後の目的階への呼びをエレベーター制御部４０１に登録する。例えばカード呼び登録機ａ４０２は、正当なＩＤデータに対して１階への呼びと、その後の利用者の目的階への呼びを登録する。同様にカード呼び登録機ｂ４０３は２階への呼びと目的階への呼びを、カード呼び登録機ｃ４０４は３階への呼びと目的階への呼びを登録する。
ＩＤ変換部４０５は入力されたＩＤデータに対して、ＩＤデータに対応して格納された居住階番号などの登録データか、もしくは登録されたＩＤデータがない場合、無効データを出力する。
【００１８】
カード呼び登録機ａ４０２は、非接触ＩＣカードリーダａ４０６とＩＤ制御部ａ４０７から、カード呼び登録機ｂ４０３は、非接触ＩＣカードリーダｂ４０８とＩＤ制御部ｂ４０９から、カード呼び登録機ｃ４０４は、非接触ＩＣカードリーダｃ４１０とＩＤ制御部ｃ４１１からなる。
非接触ＩＣカードリーダａ４０６、非接触ＩＣカードリーダｂ４０８、非接触ＩＣカードリーダｃ４１０は、携帯電話１００の非接触ＩＣカード部１０８を検出して、所定アドレス（任意のアドレスを事前に決定）のＩＤデータを読み取る。
ＩＤ制御部ａ４０７、ＩＤ制御部ｂ４０９、ＩＤ制御部ｃ４１１は、ＩＤデータを元にＩＤ変換部４０５から目的階床などのデータを元に、エレベーター制御部４０１に呼びを登録する。
【００１９】
図５は、非接触ＩＣカードリーダａ４０６、非接触ＩＣカードリーダｂ４０８、非接触ＩＣカードリーダｃ４１０の構成例を示す。
非接触ＩＣカードリーダａ４０６、非接触ＩＣカードリーダｂ４０８、非接触ＩＣカードリーダｃ４１０は、それぞれ無線通信部５０１とホストインタフェース５０２からなる。
無線通信部５０１は、非接触ＩＣカード通信によって外部の非接触ＩＣカード部１０８を読み書きするための無線インタフェースである。ホストインタフェース５０２は、ホスト機器（ここではカード呼び登録機ａ４０２、カード呼び登録機ｂ４０３、カード呼び登録機ｃ４０４）と通信するためのインタフェースで、ホスト機器からのカードアクセス要求を受け取り、無線通信部５０１を介して実行した非接触ＩＣカード部１０８へのアクセス結果を、ホスト機器に応答する。
【００２０】
ここから本実施の形態における携帯電話１００の詳細な動作を示す。
【００２１】
携帯電話１００は、携帯電話１００に内蔵した傾き検出部１１１の傾きに応じて、ＩＣカード書換え部１０９が異なるＩＤデータのうち傾きに対応するＩＤデータを非接触ＩＣカード部１０８に書き込む。
【００２２】
図６は携帯電話１００の非接触ＩＣカード部１０８、ＩＣカード書換え部１０９、傾き−ＩＤ変換部１１０、傾き検出部１１１が、傾き検出部１１１の傾き、すなわち携帯電話１００の傾きに応じて非接触ＩＣカード部１０８に異なるＩＤデータを書き込む処理の流れ図である。
携帯電話１００は、異なる複数のＩＤデータ（本実施の形態では二つのＩＤデータを例にし、それぞれをＩＤデータａとＩＤデータｂと呼ぶ）を傾き−ＩＤ変換部１１０に持っており、傾き検出部１１１の傾きに応じて、いずれかのＩＤデータを選択し、ＩＣカード書換え部１０９が，非接触ＩＣカード部１０８に書き込む。
【００２３】
ここでは携帯電話の表示部１０２を読み取り可能な方向の前後９０°を０〜１８０°とし、上下逆に読み取れる方向の前後９０°を１８０〜３６０°として、０〜１７９°の場合にＩＤデータａを、１８０°〜３５９°の場合にＩＤデータｂを選択することとして、これを傾き−ＩＤデータルールと呼ぶ。
【００２４】
まず、ステップＳ６０１傾き検出部１１１が携帯電話１００の傾きを検出し（傾き検出ステップ）、ステップＳ６０２でＩＣカード書換え部１０９が、傾き検出部１１１から傾きデータを読み出す。
ステップＳ６０３で傾き−ＩＤ変換部１１０は、傾き−ＩＤデータルールに基づき、傾きに応じてＩＤデータａもしくはＩＤデータｂを選択して出力する（データ選択ステップ）。
ステップＳ６０４でＩＣカード書換え部１０９は、選択したＩＤデータを非接触ＩＣカード部１０８のカード記憶部に書き込む（データ書き込みステップ）。
ステップＳ６０２からステップＳ６０４の処理は、ＩＣカード書換え部１０９が任意のタイミング、間隔で開始して、処理を繰り返す。具体的には、定期的に起動して常に最新の傾きに応じたＩＤデータが選択、書き込みされるようにしても良いし、キー入力部１０１の操作によって利用者から傾きの検出を指示するメッセージ（指示メッセージ）が与えたタイミングにおける携帯電話の傾きを検出し、検出した傾きに応じたＩＤデータを書き込むようにしても良い。
【００２５】
次に、傾き検出部１１１による傾きの検出方法について示す。
【００２６】
図７は、加速度センサ部３０２が検出する加速度の方向を示したものである。本実施の形態で用いる加速度センサ部３０２は２軸加速度センサであり、加速度を検出する方向は図７に示すとおり、ＸとＹでそれぞれ直行しており、Ｘ、Ｙともそれぞれ矢印方向に加速度を検出すると正の加速度値を出力し、矢印と反対方向に加速度を検出すると負の加速度値を出力する。重力加速度をＧとすると、加速度センサ部３０２は、Ｘ、Ｙ方向にそれぞれ＋１Ｇから−１Ｇを出力する。
図８は、重力方向に対する加速度センサ部３０２の向きで得られる傾きの値を便宜上対応付けたもので、Ｘ軸の矢印方向が向く方向を傾きの値とすることにした。例えば図８に示すようにＸ軸が０°、Ｙ軸が９０°を示す向きを傾き０°とする。
図９は、Ｘ方向とＹ方向に検出する加速度と傾きの対応を示したものである。図８で傾き０°の場合、図９に示すとおりＸ方向に０Ｇを、Ｙ方向に−１Ｇを、また同じく９０°の場合、Ｘ方向に−１Ｇを、Ｙ方向に０Ｇを検出する。加速度と傾きの対応は以下の式で算出することができる。
Ｘは０以下、Ｙは０以下の時（傾き０〜９０°）
−１×ａｓｉｎ（Ｘ／１Ｇ）
Ｘは０以下、Ｙは０以上の時（傾き９０〜１８０°）
９０＋ａｓｉｎ（Ｙ／１Ｇ）
Ｘは０以上、Ｙは０以上の時（傾き１８０°から２７０°）
１８０＋ａｓｉｎ（Ｘ／１Ｇ）
Ｘは０以上、Ｙは０以下の時（傾き２７０〜３６０°）
２７０＋（−１）×ａｓｉｎ（Ｙ／１Ｇ）
またはＸとＹの出力を図９に示したテーブルの値に近似して変換すると傾きを得ることができる。
【００２７】
図１０は携帯電話１００の正面図である。ＬＣＤ（Ｌｉｑｕｉｄ  Ｃｒｙｓｔａｌ  Ｄｉｓｐｌａｙ）部１００１は表示部１０２を構成する。テンキー部１００２はキー入力部１０１を構成する。図１１は携帯電話正面図に傾き検出部１１１の加速度センサ部３０２の検出する傾きを示した図である。
携帯電話１００の加速度センサ部３０２は、Ｘ、Ｙ方向を図１１に示すとおりに内蔵し、携帯電話１００のＬＣＤ部１１０１に表示した文字を読み取り可能な方向（重力に対してＬＣＤ部１１０１が上方向となる）に傾けた場合のＸ軸方向の向きを０°として、反時計回りに９０°、１８０°（このとき文字が上下反転する）、２７０°ということにする。
【００２８】
携帯電話１００の傾きは、図１１に示すＸ軸方向の角度を言い、加速度センサ部３０２のＸ、Ｙ方向のそれぞれの加速度値から演算、またはテーブル変換により、図９に示す通り得ることができる。
図１２は、傾き検出部１１１が、このような携帯電話１００の傾きを検出する処理を示した流れ図である。
まずステップＳ１２０１で傾き検出部１１１のホストインタフェース３０１が、加速度センサ部３０２の加速度Ｘ、Ｙ値を読み出す。
次にステップＳ１２０２で加速度−傾き変換部３０３が先に示した手順により、加速度Ｘ、Ｙ値を傾きに変換する。
次にステップＳ１２０３で、ホストインタフェース３０１が算出した傾きを格納する。
【００２９】
次にエレベーターシステム４００の詳細な動作を説明する。
【００３０】
エレベーターシステム４００は、カード呼び登録機ａ４０２〜カード呼び登録機ｃ４０４の非接触ＩＣカードリーダが携帯電話１００の非接触ＩＣカード部１０８から読み取ったＩＤデータに従い、エレベーター制御部４０１に対してエレベーターの呼びを登録する。
【００３１】
図１３はＩＤ変換部４０５がＩＤデータの変換に使用するテーブルである。ひとつのＩＤデータに対して、登録階番号と戸開閉速度を定義した組みが、登録するＩＤデータの数だけ存在する。登録階番号とは、ＩＤデータに対して移動を許可する階の番号であり、戸開閉速度とは扉の開閉速度の指定である。小さい子供と一緒に移動する場合など戸開閉の速度を変化させたい場合は、通常の値よりも低い値を設定する。
【００３２】
図１４はエレベーターシステム４００の動作の詳細な流れ図である。
図１４を使って、カード呼び登録機ａ４０２を例にとって、エレベーターシステム４００の動作を説明する。なお、これ以外のカード呼び登録機ｂ４０３、カード呼び登録機ｃ４０４も、カード呼び登録機ａ４０２と同じように動作する。
ステップＳ１４０１でＩＤ制御部ａ４０７は、非接触ＩＣカードリーダａ４０６に、非接触ＩＣカード部１０８の読み取り指示を行う。携帯電話１００が非接触ＩＣカードリーダａ４０６の読み取り可能範囲にある場合、ステップＳ１４０２で、非接触ＩＣカードリーダａ４０６は非接触ＩＣカード部１０８のＩＤデータを読み取り、ＩＤ制御部ａ４０７はＩＤデータを受信する。
ステップＳ１４０３でＩＤ変換部４０５は、ＩＤ変換テーブル１３０１に登録されたＩＤデータと、読み取ったＩＤデータとを比較して、一致するＩＤデータの組みになった登録階番号と戸開閉速度を応答する。もし一致するＩＤデータがない場合無効データを応答する。
ステップＳ１４０４で、ＩＤ制御部ａ４０７は、受信した登録階番号が有効か、無効であるかを判定し、有効である場合に、ステップＳ１４０５でカード呼び登録機ａ４０２が設置された階が玄関階であるか、すなわち利用者が携帯電話１００をカード呼び登録機ａ４０２に読み取らせた階、利用者がエレベーターに乗ろうとする階が玄関階であるかを判定する。もし玄関階である場合は、ステップＳ１４０６でＩＤ制御部ａ４０７は、ＩＤ変換部４０５が出力した登録階番号を目的階として決定する。
またステップＳ１４０５で利用者がエレベーターに乗ろうとする階が玄関階でない場合、ステップＳ１４０７で利用者がエレベーターに乗ろうとする階が、ＩＤ変換部４０５が出力した登録階番号であるかを判定する。もし登録階番号と等しい場合は、利用者は玄関階に移動しようとしているので、ステップＳ１４０８で玄関階を目的階として決定する。
ステップＳ１４０７で利用者がエレベーターに乗ろうとする階が登録階番号と等しくない場合は、利用者は登録階に移動しようとしているので、ステップＳ１４０６で登録階を目的階として決定する。なおステップＳ１４０４で登録階番号が無効であった場合には、携帯電話１００の利用者はエレベーターの利用を許可されていないので、処理を終了してエレベーターの呼びを登録しない。
ステップＳ１４０９でＩＤ制御部ａ４０７は、利用者がエレベーターに乗ろうとする階に呼びを登録する。
ステップＳ１４１０で、ＩＤ制御部ａ４０７は、呼びを登録した階へのかごの着床、戸開完了を確認して、ステップＳ１４１１でエレベーター制御部４０１に決定した目的階へのかご呼びを登録するとともに、戸開閉速度を指示する。
【００３３】
以上が発明の詳細な動作の説明である。
【００３４】
このように、本実施の形態に係るデータ管理装置は、データ記憶装置が配置されているパッケージに配置され、データ記憶装置を管理するデータ管理装置であって、パッケージの傾きを検出する傾き検出部と、二以上のデータを記憶し、傾き検出部により検出されたパッケージの傾きに応じて、二以上のデータの中から特定のデータを選択するデータ選択部と、データ選択部により選択されたデータを前記データ記憶装置に書き込むデータ書き込み部とを有する。
そして、データ選択部は、データとパッケージの傾きとの対応関係を示す対応情報を記憶しており、対応情報を用いて、傾き検出部により検出されたパッケージの傾きに対応するデータを選択し、データ書き込み部は、データ記憶装置に記憶されているデータをデータ選択部により選択されたデータに書き換える。
【００３５】
本実施の形態によれば、携帯電話の傾きを検出するとともに傾きに対応するＩＤデータを非接触ＩＣカードに書き込むため、携帯電話の利用者は目的とするＩＤデータに対応する角度に携帯電話を傾けるだけで目的とするＩＤデータをＩＣカードリーダに読み込ませることができる。このため、利用者は、従来のように、ＩＤデータに合わせて複数のカードを持つ必要がなく、また、逐次カードを識別して選択的にＩＣカードリーダに読み込ませる必要がない。このように、本実施の形態によれば、認証手順において、煩雑な操作によらず複数のＩＤデータの中から所望のＩＤデータを選択し、簡単な操作による認証処理を実現することにより、利用者の利便性を向上させることができる。
【００３６】
次に、本実施の形態に係る携帯電話１００のハードウェア構成例について説明する。
図１５は、本実施の形態及び以下に述べる実施の形態に示す携帯電話１００のハードウェア資源の一例を示す図である。
図１５において、携帯電話１００は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、ＬＣＤ等の表示装置９０１、テンキー９０２、マイク９０４、スピーカー９０５、非接触ＩＣカード９０６、加速度センサ９０７、フラッシュメモリ９２０等と接続され、これらのハードウェアデバイスを制御する。
ＲＡＭ９１４は、揮発性メモリの一例である。ＲＯＭ９１３、非接触ＩＣカード９０６、フラッシュメモリ９２０といった記憶媒体は、不揮発性メモリの一例である。これらは、記憶装置あるいは記憶部の一例である。
通信ボード９１５、テンキー９０２などは、入力部、入力装置の一例である。
また、通信ボード９１５、表示装置９０１、非接触ＩＣカードなどは、出力部、出力装置の一例である。
【００３７】
通信ボード９１５は、無線回線を介して、例えば、インターネット、ＷＡＮ（ワイドエリアネットワーク）、ＬＡＮ（ローカルエリアネットワーク）などに接続することが可能である。
フラッシュメモリ９２０は、オペレーティングシステム９２１（ＯＳ）、ウィンドウシステム９２２、プログラム群９２３、ファイル群９２４等を記憶することが可能である。プログラム群９２３のプログラムは、ＣＰＵ９１１、オペレーティングシステム９２１、ウィンドウシステム９２２により実行される。
【００３８】
上記プログラム群９２３には、少なくともＩＣカード書換え部１０９及び傾き−ＩＤ変換部１１０の機能を実行するプログラムが記憶されている。プログラムは、ＣＰＵ９１１により読み出され実行される。
ファイル群９２４には、以上の説明において、「〜の判定結果」、「〜の計算結果」、「〜の処理結果」、「〜の評価結果」等として説明している情報やデータや信号値や変数値やパラメータが、「〜ファイル」や「〜データベース」の各項目として記憶されている。「〜ファイル」や「〜データベース」は、記録媒体に記憶される。記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・編集・出力・表示などのＣＰＵの動作に用いられる。抽出・検索・参照・比較・演算・計算・処理・編集・出力・表示のＣＰＵの動作の間、情報やデータや信号値や変数値やパラメータは、メインメモリ、レジスタ、キャッシュメモリ、バッファメモリ等に一時的に記憶される。
また、以上説明したフローチャートの矢印の部分は主としてデータや信号の入出力を示し、データや信号値は、記録媒体に記録される。また、データや信号は、バス９１２や信号線やケーブルその他の伝送媒体によりオンライン伝送される。
【００３９】
また、以上の説明において「〜部」、「〜手段」として説明しているものは、「〜回路」、「〜装置」、「〜機器」、「手段」であってもよく、また、「〜ステップ」、「〜手順」、「〜処理」であってもよい。すなわち、「〜部」、「〜手段」として説明しているものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、記録媒体に記憶される。プログラムはＣＰＵ９１１により読み出され、ＣＰＵ９１１により実行される。
【００４０】
このように、本実施の形態に示す携帯電話は、処理装置たるＣＰＵ、記憶装置たるメモリ、フラッシュメモリ等、入力装置たるテンキー、通信ボード等、出力装置たる表示装置、通信ボード、非接触ＩＣカード等を備え、「〜部」、「〜手段」として示された機能をこれら処理装置、記憶装置、入力装置、出力装置を用いて実現するものである。
【００４１】
なお、本発明の実施の形態では、傾き検出部１１１には、加速度センサ部３０２により重力加速度の各方向成分により傾きを求める方法を用いたが、加速度センサ部３０２自体の仕組み、あるいは傾き検出部１１１の傾きを検出する仕組みについて、本実施の形態で示した傾き検出方法に制限するものではなく、他の傾き検出方法、あるいはその他のセンサとの組み合わせにより傾き検出の精度を向上しても良いし、より安価な機器で構成できる傾き検出方法を用いても良い。
【００４２】
また本実施の形態では、携帯電話１００の上向きと下向きで、異なる二つのＩＤデータを選択しうるようにしたが、携帯電話１００の傾きとＩＤデータの対応を細分化して、二つ以上のＩＤデータを選択するようにしても良い。
【００４３】
また、本実施の形態では、携帯電話１００の上向きと下向きで、異なる二つのＩＤデータを選択しうるようにしたが、携帯電話１００の傾きとＩＤデータの対応を線形に対応付けず、携帯電話１００が縦方向にある場合と横方向にある場合に、それぞれ異なる二つのＩＤデータを選択するようにしても良い。
【００４４】
また、本実施の形態では、非接触ＩＣカード部１０８とＩＣカード書換え部１０９、傾き−ＩＤ変換部１１０、傾き検出部１１１を携帯電話１００に搭載して、携帯電話１００の傾きに応じてＩＤデータを選択しうるよう構成したが、これら非接触ＩＣカード部１０８とＩＣカード書換え部１０９、傾き−ＩＤ変換部１１０、傾き検出部１１１は携帯電話１００に内蔵するのに限らず、ノートパソコン、パーソナルデジタルアシスタント（ＰＤＡ）、電子手帳などのデジタル機器、腕時計やペンダント、指輪などの装飾品、社員証や定期券、免許証、クレジットカード、ＩＣタグつき鍵、カード型キーなどの機器に内蔵するようにしても良い。
【００４５】
また、本実施の形態では、携帯電話１００の傾きにより、異なるＩＤデータを選択して非接触ＩＣカード部１０８に書き込み、エレベーターシステム４００にＩＤデータを通知するように構成したが、ＩＤデータを通知する先はこれに限定するものではなく、玄関扉、入退室セキュリティゲート、自動改札、自動販売機、集合マンション、駅の宅配ロッカー、クレジットカード決済端末、コンピュータの認証装置などの機器、システムに対して、異なるＩＤを選択的に通知するように構成しても良い。
一つの携帯電話１００で複数のＩＤデータを選択して通知することが可能となり、例えばクレジットカード決済端末に対しては、その時に使用したいクレジットカード番号を選択して利用すること、コンピュータの認証装置に対しては異なるセキュリティ権限を与えられた複数のＩＤを選択してログインすることが可能となる。
【００４６】
また、本実施の形態では、ＩＣカード書換え部１０９が非接触ＩＣカード部１０８にＩＤデータを書き込むタイミングは、定期的に行うか、キー入力部１０１の操作によって利用者が決定できるようにしたが、このタイミングはこれらに制限するものではなく、利用者の操作によって利用者が書き込みタイミングを指示できるように、音声入出力部１０３で音声入力（指示メッセージ）があった場合や、傾き検出部１１１で携帯電話１００の同一方向の振動を連続で１０回検知した場合に、書き込むように構成しても良い。
また、非接触ＩＣカード部１０８が非接触ＩＣカードリーダａ４０６などからＩＤデータの読み取り要求（認証データ読み出し要求）を受けて、非接触ＩＣカード部１０８がその応答を保留した状態で、その時の傾き検出部１１１の傾きからＩＣカード書換え部１０９が傾き−ＩＤ変換部１１０から求めた傾きに対応するＩＤデータを選択、書き込むようにした後に、非接触ＩＣカード部１０８が書き込まれたＩＤデータを非接触ＩＣカードリーダａ４０６などに応答するように構成しても良い。
【００４７】
また、本実施の形態において、携帯電話１００にＩＤデータを蓄積、エレベーターシステム４００に通知するため非接触ＩＣカード部１０８を用いたが、ホストから外部に読み取らせるメモリの内容を書き換え可能なホストとのインタフェースを持つ記憶媒体であれば良く、例えば接触型ＩＣカード、磁気テープ式カードで実現してもよい。
【００４８】
また、本実施の形態において、携帯電話１００のＩＣカード書換え部１０９による非接触ＩＣカード部１０８のＩＤデータの書き換えは、利用者に通知せず行うよう構成したが、ステップＳ６０３以降に書換えを行ったことまたは書き込んだＩＤデータを、表示部１０２への文字表示やアイコン表示、音声入出力部１０３による音声通知で、利用者に通知するようにしても良い。
【００４９】
また、本実施の形態において、携帯電話１００の非接触ＩＣカード部１０８には、ＩＤデータを選択的に書き込むようにしたが、ＩＤデータと傾きデータを書き込むようにしても良い。その時、エレベーターシステム４００のＩＤ変換部４０５は、ＩＤ変換テーブル１３０１に、ＩＤデータと傾き値をキーとして登録階番号などを付加したものを組にして持ち、さらにこの組はユーザに対して異なる傾き値毎に複数あって、受信したＩＤデータで選択される同一ＩＤデータに対応する登録階番号のうち、傾き値が近いものを選択することで、登録階番号を選択する。これらはステップＳ１４０２とステップＳ１４０３にかわり実行される。
【００５０】
以上のように、本実施の形態では、ＩＤデータを記憶する非接触ＩＣカード部と非接触ＩＣカードのＩＤデータを書き換えるＩＣカード書換え部と、非接触ＩＣカードを搭載したＩＤ装置の傾きを検出する傾き検出部と、複数のＩＤデータと傾きの対応情報を持ち、入力した傾きからＩＤデータを出力する傾き−ＩＤ変換部とからなる、ＩＤ装置であって、ＩＤ装置の傾きを測定して傾きをＩＤデータに変換して非接触ＩＣカードに書き込んで、認証システムの非接触ＩＣカードリーダに対して、複数のＩＤデータから任意のＩＤデータを選択して読み込ませ、認証を受けることを特徴としたＩＤ装置について説明した。
【００５１】
また、ＩＤデータを記憶する非接触ＩＣカード部と非接触ＩＣカードのＩＤデータを書き換えるＩＣカード書換え部と、非接触ＩＣカードを搭載したＩＤ装置の傾きを検出する傾き検出部と、複数のＩＤデータと傾きの対応情報を持ち、入力した傾きからＩＤデータを出力する傾き−ＩＤ変換部とからなる、ＩＤ装置であって、ＩＤ装置の傾きを測定して傾きをＩＤデータに変換して非接触ＩＣカードに書き込むＩＤ装置と、
ＩＤ装置から選択的に送付されるＩＤデータを認証し、許可されたユーザに対してあらかじめ登録された目的階から目的階を決定し、乗り口への呼びと目的階への呼びを登録するエレベーターシステムについても説明した。
【００５２】
更には、ＩＤデータと傾きデータを記憶する非接触ＩＣカード部と非接触ＩＣカードの傾きデータを書き換えるＩＣカード書換え部と、非接触ＩＣカードを搭載したＩＤ装置の傾きを検出する傾き検出部とからなるＩＤ装置であって、ＩＤ装置の傾きを非接触ＩＣカードに書き込むＩＤ装置と、
ＩＤ装置から送付されるＩＤデータを認証し、許可されたユーザに対してあらかじめ傾き毎に登録された目的階から目的階を決定し、乗り口への呼びと目的階への呼びを登録するエレベーターシステムについても説明した。
【００５３】
また、前記目的階の決定が、乗り口が玄関階である場合または乗り口が玄関階でなくても乗り口が登録された目的階である場合に登録された目的階を目的階に決定し、乗り口が玄関階でもなく乗り場が登録された目的階である場合に玄関階を目的階に決定する、エレベーターシステムについても説明した。
【００５４】
また、所定の間隔で繰り返し実行する、ＩＤ装置の傾きを測定して傾きをＩＤデータに変換して非接触ＩＣカードに書き込みで、認証システムの非接触ＩＣカードリーダに対して、複数のＩＤデータから任意のＩＤデータを選択して読み込ませ、認証を受けることを特徴としたＩＤ装置についても説明した。
【００５５】
また、前記ＩＤ装置は利用者入力部を持ち、利用者による入力部への入力をトリガにして実行する、ＩＤ装置の傾きを測定して傾きをＩＤデータに変換して非接触ＩＣカードに書き込みで、認証システムの非接触ＩＣカードリーダに対して、複数のＩＤデータから任意のＩＤデータを選択して読み込ませ、認証を受けることを特徴としたＩＤ装置についても説明した。
【００５６】
また、前記ＩＤ装置は、非接触ＩＣカードへのＩＤデータ読み出し要求に対して、ＩＤデータ応答を保留して実行する、傾きを測定して傾きをＩＤデータに変換して非接触ＩＣカードへの書き込みで、認証システムの非接触ＩＣカードリーダに対して、複数のＩＤデータから任意のＩＤデータを選択して読み込ませ、認証を受けることを特徴としたＩＤ装置についても説明した。
【００５７】
また、前記ＩＤ装置は、通知部を備え、利用者に対して非接触ＩＣカードのＩＤデータが書き変わったことを通知することを特徴としたＩＤ装置についても説明した。
【図面の簡単な説明】
【００５８】
【図１】実施の形態１に係る携帯電話の構成例を示す図。
【図２】実施の形態１に係る非接触ＩＣカード部の構成例を示す図。
【図３】実施の形態１に係る傾き検出部の構成例を示す図。
【図４】実施の形態１に係るエレベーターシステムの構成例を示す図。
【図５】実施の形態１に係る非接触ＩＣカードリーダの構成例を示す図。
【図６】実施の形態１に係る携帯電話の動作例を示すフローチャート図。
【図７】実施の形態１に係る加速度センサ部が検出する加速度の方向の例を示す図。
【図８】実施の形態１に係る加速度センサ部が検出する傾きの例を示す図。
【図９】実施の形態１に係るＸ方向とＹ方向に検出する加速度と傾きの対応を示した図。
【図１０】実施の形態１に係る携帯電話の外観例を示す図。
【図１１】実施の形態１に係る携帯電話正面図に加速度センサ部の検出する傾きを示した図。
【図１２】実施の形態１に係る傾き検出ステップの例を示すフローチャート図。
【図１３】実施の形態１に係るＩＤ変換テーブルの例を示す図。
【図１４】実施の形態１に係るエレベーターシステムの処理例を示すフローチャート図。
【図１５】実施の形態１に係る携帯電話のハードウェア構成例を示す図。
【符号の説明】
【００５９】
１００  携帯電話、１０１  キー入力部、１０２  表示部、１０３  音声入出力部、１０４  電源制御部、１０５  電話制御部、１０６  無線通信部、１０７  データ記憶部、１０８  非接触ＩＣカード部、１０９  ＩＣカード書換え部、１１０  傾き−ＩＤ変換部、１１１  傾き検出部、２０１  ホストインタフェース、２０２  無線通信部、２０３  カード記憶部、３０１  ホストインタフェース、３０２  加速度センサ部、３０３  加速度−傾き変換部、４００  エレベーターシステム、４０１  エレベーター制御部、４０２  カード呼び登録機ａ、４０３  カード呼び登録機ｂ、４０４  カード呼び登録機ｃ、４０５  ＩＤ変換部、４０６  非接触ＩＣカードリーダａ、４０７  ＩＤ制御部ａ、４０８  非接触ＩＣカードリーダｂ、４０９  ＩＤ制御部ｂ、４１０  非接触ＩＣカードリーダｃ、４１１  ＩＤ制御部ｃ、５０１  無線通信部、５０２  ホストインタフェース、１００１  ＬＣＤ部、１００２  テンキー部。
【図１】
2007323562.tif 000003
【図２】
2007323562.tif 000004
【図３】
2007323562.tif 000005
【図４】
2007323562.tif 000006
【図５】
2007323562.tif 000007
【図６】
2007323562.tif 000008
【図７】
2007323562.tif 000009
【図８】
2007323562.tif 000010
【図９】
2007323562.tif 000011
【図１０】
2007323562.tif 000012
【図１１】
2007323562.tif 000013
【図１２】
2007323562.tif 000014
【図１３】
2007323562.tif 000015
【図１４】
2007323562.tif 000016
【図１５】
2007323562.tif 000017